(57)【要約】      （修正有）【課題】統合有線及び無線ＬＡＮアクセスウォールプレートを設けるためのシステム及び方法を提供する。【解決手段】装置は、ローカルネットワークからアクセスポイントに延びるケーブルを通じてローカルネットワークに連結されたアクセスポイントを含む。アクセスポイントは、それが装置のハウジングの内部空洞の内側に配置されるようなサイズと形状を有する。ハウジングは、アクセスポイントが表面の外側にあるようなある一定の表面に取り付けることが可能である。【選択図】図４
2006050564.tif 000002
【特許請求の範囲】
【請求項１】
ローカルネットワークからアクセスポイントに延びるケーブルを通じて該ローカルネットワークに連結するアクセスポイントと、
内部空洞を有して該内部空洞内に配置されるようなサイズと形状を有する前記アクセスポイントを収容し、該アクセスポイントが表面の外側にあるようなある一定の表面に取り付けることが可能なハウジングと、
を含むことを特徴とする装置。
【請求項２】
前記アクセスポイントは、有線アクセスポイント及び無線アクセスポイントの１つ又はそれ以上を含み、
前記アクセスポイントはまた、ローカルエリアネットワーク（ＬＡＮ）、電話ネットワーク、及びインターネットの１つ又はそれ以上を有するネットワークアクセスポイントを更に含む、
ことを特徴とする請求項１に記載の装置。
【請求項３】
前記ハウジングの内側にあり、前記アクセスポイントに連結した１つ又はそれ以上の内部アンテナを更に含むことを特徴とする請求項１に記載の装置。
【請求項４】
１つ又はそれ以上の外部アンテナを装置に接続するために前記ハウジング上に配置された１つ又はそれ以上の外部アンテナコネクタを更に含むことを特徴とする請求項１に記載の装置。
【請求項５】
ワイヤ接続を通じた前記ローカルネットワークへのクライアントの接続を容易にするための１つ又はそれ以上のジャックを更に含み、
前記１つ又はそれ以上のジャックは、イーサネットジャック及び電話ジャックの１つ又はそれ以上を含む、
ことを特徴とする請求項１に記載の装置。
【請求項６】
前記１つ又はそれ以上のジャックは、１つ又はそれ以上の対応するケーブルの中に延びており、
前記ケーブルの各々は、該１つ又はそれ以上のケーブルを前記ローカルネットワークに接続するために、前記１つ又はそれ以上のジャックを有する端部の反対端にプラグを有する、
ことを特徴とする請求項５に記載の装置。
【請求項７】
前記１つ又はそれ以上のジャックは、登録されたジャックである「（ＲＪ）−４５」ジャック及び「ＲＪ−１１」ジャックの１つ又はそれ以上を含み、
前記プラグは、「ＲＪ−４５」プラグ及び「ＲＪ−１１」プラグの１つ又はそれ以上を含む、
ことを特徴とする請求項６に記載の装置。
【請求項８】
前記内部空洞の開口部上にスナップ式に留められ、前記無線アクセスポイントとして使用するために前記ハウジングの該内部空洞を覆う第１のカバープレートと、
前記内部空洞の前記開口部上にスナップ式に留めることにより前記１つ又はそれ以上のジャックに連結して該１つ又はそれ以上のジャックを装置に固定するための第２のカバープレートと、
を更に含むことを特徴とする請求項１に記載の装置。
【請求項９】
前記ハウジングは、ネジ、クリップ、及びクランプの１つ又はそれ以上を使用して前記表面に取り付けることが可能であり、
前記表面は、壁、天井、床、及び基板の１つ又はそれ以上を含む、
ことを特徴とする請求項１に記載の装置。
【請求項１０】
有線アクセスポイント及び無線アクセスポイントの１つ又はそれ以上を含み、ローカルネットワークからアクセスポイントに延びるケーブルを通じて該ローカルネットワークに連結したアクセスポイントと、
内部空洞を有して該内部空洞内に配置されるようなサイズと形状を有する前記アクセスポイントを収容し、該アクセスポイントが表面の外側にあるようなある一定の表面に取り付けることが可能なハウジングと、
を含むことを特徴とする統合アクセスポイント装置。
【請求項１１】
前記ハウジングの内側にあり、前記アクセスポイントに連結した１つ又はそれ以上の内部アンテナを更に含むことを特徴とする請求項１０に記載の装置。
【請求項１２】
前記ハウジングの内側にあり、前記アクセスポイントに連結した１つ又はそれ以上の内部アンテナを更に含むことを特徴とする請求項１０に記載の装置。
【請求項１３】
前記ハウジングは、前記アクセスポイントに付随する回路が表面の外側にあるようなある一定の表面に取り付けることが可能であることを特徴とする請求項１０に記載の装置。
【請求項１４】
前記ローカルネットワークへのクライアントの接続を容易にするための１つ又はそれ以上のジャックを更に含み、
前記１つ又はそれ以上のジャックは、イーサネットジャック又は電話ジャックを含み、前記ローカルネットワークは、建物ネットワークを含む、
ことを特徴とする請求項１０に記載の装置。
【請求項１５】
前記１つ又はそれ以上のジャックは、１つ又はそれ以上の対応するケーブルの中に延びており、
前記ケーブルの各々は、該１つ又はそれ以上のケーブルを前記ローカルネットワークに接続するために、前記１つ又はそれ以上のジャックを有する端部の反対端にプラグを有する、
ことを特徴とする請求項１４に記載の装置。
【請求項１６】
前記１つ又はそれ以上のジャックは、登録されたジャックである「ＲＪ−４５」ジャック及び「ＲＪ−１１」ジャックの１つ又はそれ以上を含み、
前記プラグは、「ＲＪ−４５」プラグ及び「ＲＪ−１１」プラグの１つ又はそれ以上を有する、
ことを特徴とする請求項１５に記載の装置。
【請求項１７】
前記内部空洞の開口部上にスナップ式に留められ、前記無線アクセスポイントとして使用するために前記ハウジングの該内部空洞を覆う第１のカバープレートと、
前記内部空洞の前記開口部にスナップ式に留めることにより前記１つ又はそれ以上のジャックに連結して該ジャックを装置に固定するための第２のカバープレートと、
を更に含むことを特徴とする請求項１０に記載の装置。
【請求項１８】
前記ハウジングは、ネジ、クリップ、及びクランプの１つ又はそれ以上を使用して前記表面に取り付けることが可能であり、
前記表面は、壁、天井、床、及び基板の１つ又はそれ以上を含む、
ことを特徴とする請求項１０に記載の装置。
【請求項１９】
無線アクセスポイントと、
ＲＦ信号を送信及び受信するために前記アクセスポイントに連結された無線周波数（ＲＦ）送受信機と、
前記送受信機に連結した１つ又はそれ以上の内部アンテナと、
を有する第１の基板、及び
電源モジュールを含む、前記第１の基板に連結した第２の基板、
を含むことを特徴とする統合アクセスポイントシステム。
【請求項２０】
前記電源モジュールは、パワーオーバーイーサネット（ＰＯＥ）ベースのＩＥＥＥ８０２．３ａｆ電源モジュールを含むことを特徴とする請求項１９に記載のシステム。
【請求項２１】
前記送受信機は、マルチバンドＲＦ受信機及びマルチバンドＲＦ送信機を有するマルチバンド送受信機を含み、
前記マルチバンドは、２．４ＧＨｚ帯域及び５ＧＨｚ帯域の１つ又はそれ以上を含む、
ことを特徴とする請求項１９に記載のシステム。
【請求項２２】
前記第１の基板は、前記送受信機に連結したモデムを更に含み、
前記モデムは、ＩＥＥＥ８０２．１１ａベースバンドモデム、ＩＥＥＥ８０２．１１ｂベースバンドモデム、及びＩＥＥＥ８０２．１１ｇベースバンドモデムの１つ又はそれ以上を含むベースバンドモデムを含む、
ことを特徴とする請求項１９に記載のシステム。
【請求項２３】
前記第１の基板は、前記送受信機に連結した高密度コネクタを更に含み、
前記コネクタは、試験ポイント、汎用入力／出力（ＧＰＩＯ）、「ジョイント・テスト・アクション・グループ（ＪＴＡＧ）」ポート、及びコンソールポートの１つ又はそれ以上を束ねるものである、
ことを特徴とする請求項１９に記載のシステム。
【請求項２４】
前記第１の基板は、前記１つ又はそれ以上の内部アンテナを補足するために、１つ又はそれ以上の外部アンテナの接続を容易にするための１つ又はそれ以上の外部アンテナコネクタを更に含むことを特徴とする請求項１９に記載のシステム。
【請求項２５】
前記第１の基板は、前記１つ又はそれ以上の内部アンテナ及び前記１つ又はそれ以上の外部アンテナのうちの１つ又はそれ以上の組合せを選択するための１つ又はそれ以上のアンテナ選択スイッチを更に含むことを特徴とする請求項２４に記載のシステム。
【請求項２６】
「通過」有線アクセスポートを含む有線アクセスポートと無線アクセスポイントとを統合アクセスポイント装置のハウジングの内部空洞に配置することにより、統合アクセスポイントを形成する段階と、
前記統合アクセスポイントをネットワークに連結する段階と、
前記統合アクセスポイントが表面の外側にあるようなある一定の表面に前記ハウジングを取り付ける段階と、
を含むことを特徴とする方法。
【請求項２７】
前記統合アクセスポイントをネットワークに連結する段階は、１つ又はそれ以上のケーブル、１つ又はそれ以上のジャック、及び１つ又はそれ以上のプラグの１つ又はそれ以上を使用して行われることを特徴とする請求項２６に記載の方法。
【請求項２８】
前記ハウジングは、ネジ、クリップ、及びクランプの１つ又はそれ以上を使用して前記表面に取り付けることが可能であり、
前記表面は、壁、天井、床、及び基板の１つ又はそれ以上を含む、
ことを特徴とする請求項２６に記載の方法。
【請求項２９】
前記装置の前記ハウジングの内側に組み込まれた１つ又はそれ以上の内部アンテナを補足するために、１つ又はそれ以上の外部アンテナを該装置上に配置された１つ又はそれ以上のコネクタに接続する段階を含むことを特徴とする請求項２６に記載の方法。
【請求項３０】
前記１つ又はそれ以上の外部アンテナ及び前記１つ又はそれ以上の内部アンテナの１つ又はそれ以上の組合せの間で切り換える段階を含み、
前記切り換える段階は、アンテナ選択スイッチを使用して行われる、
ことを特徴とする請求項２６に記載の方法。
【発明の詳細な説明】
【技術分野】
【０００１】
関連出願
本出願は、２００４年６月１２日申請の米国特許出願出願番号第１０／８６６，３４７号の継続出願であり、その優先権を請求する。
本発明の実施形態は、一般的に、ローカルエリアネットワーク（ＬＡＮ）に関する。より具体的には、一実施形態は、統合有線及び無線ＬＡＮアクセスウォールプレートを提供するためのシステム及び方法に関する。
【背景技術】
【０００２】
無線接続性は、移動通信装置の主要な要素であることに加えて、企業ネットワークのような他のネットワーキング環境で現在進出中であり、そこでは、無線ネットワーキングは、配線ネットワーキングインフラストラクチャーの設置に代わるより柔軟かつ廉価な選択肢を提供することができる。無線接続は、パーソナルエリアネットワーク（ＰＡＮ）、ローカルエリアネットワーク（ＬＡＮ）、ワイドエリアネットワーク（ＷＡＮ）さえも含む様々なネットワーキング環境で見ることができる。Ｂｌｕｅｔｏｏｔｈ（登録商標）、ＩＥＥＥ（電気電子技術者協会）８０２．１１群仕様書に定められた無線ネットワーキング技術（「Ｗｉ−Ｆｉ」と呼ばれることが多い）、「ジェネラル・パケット・ラジオ・サービス（ＧＰＲＳ）」を含むいくつかの無線ネットワーキング技術が開発されている。従来のネットワーキングに加えて、無線接続は、資産トラッキング、患者トラッキングとケア、機器スケジューリング、その他を含む多くの従来の配線ネットワークで以前は実現不可能であった新しい用途を可能とする。
【０００３】
一般的な無線ネットワーク１００の例が図１に示されている。図１に示す無線ネットワーク１００は、例えば、共同企業ネットワーク又は他のＬＡＮを含む。この図面に関して、無線ネットワーク１００は、１つ又はそれ以上の無線アクセスポイント（ＷＡＰ）１２０を含む。いくつかの種類のネットワークでは、これらの無線アクセスポイント１２０の各々は、スイッチング装置１１０に連結される。スイッチング装置１１０は、ネットワーク内でパケット（又は、セル、フレームなど）をルーティングするためのいくつかの公知の装置のいずれかを表すものである。スイッチング装置１１０は、次に、別のネットワーク５（例えば、インターネット及び／又は別の企業ネットワーク又はＬＡＮ）に連結されることができる。１つ又はそれ以上のノード１３０は、無線アクセスポイント１２０の１つとの無線接続１４０を確立することができる。ノード１３０は、任意のアドレス可能な装置（例えば、サーバ、デスクトップコンピュータ、ラップトップコンピュータ、手持ち式コンピューティング装置、インターネットプロトコル電話、ネットワーク電気機器など）やプリンタのような周辺装置を含むことができる。
【０００４】
無線アクセスポイント１２０は、任意の適切な通信の無線モードを通じてノード１３０に対するネットワーク１００へのアクセスを提供する。一例として、無線アクセスポイント１２０と任意のノード１３０の間の接続は、ＩＥＥＥ８０２．１１ａ、ＩＥＥＥ８０２．１１ｂ、ＩＥＥＥ８０２．１１ｇを含むＩＥＥＥ８０２．１１仕様群に定められた無線ネットワーキング技術のいずれか１つ、又はＢｌｕｅｔｏｏｔｈに準拠することができる。ＩＥＥＥ８０２．１１ｂ規格（及び、ＩＥＥＥ８０２．１１ｇ）は、２．４から２．４８３５ＧＨｚの周波数範囲に及ぶ２．４ＧＨｚ帯域に亘る無線サービスを定めるが、ＩＥＥＥ８０２．１１ａは、５．１５から５．２５ＧＨｚ、５．２５から５．３５ＧＨｚ、５．４７から５．７２５ＧＨｚ、５．７２５から５．８２５ＧＨｚなどを含む５ＧＨｚ周波数範囲でのいくつかの帯域に亘る無線サービスを定める。Ｂｌｕｅｔｏｏｔｈは、音声アプリケーションとデータアプリケーションの両方をサポートする短い範囲の低電力無線技術であり、この技術は、２．４ＧＨｚ無線帯域（より正確には、２．４から２．４８３５ＧＨｚ帯域）における多重チャンネルに亘る周波数ホッピング拡散スペクトル（ＦＨＳＳ）無線接続を提供する。ノード１３０と通信するために、無線アクセスポイント１２０の各々は、１つ又はそれ以上のアンテナを含み、各アンテナは（単独又は他のアンテナとの組合せのいずれかで）、上述の無線通信のモードの１つ（又はそれ以上）を提供する。
【０００５】
無線ネットワークを実施するためには、望ましいカバレージをもたらすことになる無線アクセスポイントに対して最適位置を識別することができるように、無線周波数（ＲＦ）環境を策定するためにまずサイト調査が行われる。一般的な企業ネットワークでは、無線アクセスポイントは、例えば、机上に水平に取り付けられ、壁又は他の構造体上に垂直に取り付けられ、又は天井に上下反対に取り付けられるなどの様々な位置や構成で設けられる。しかし、これらの位置は、通常は目で見ることができ、これらの可視無線アクセスポイントは、オフィス環境において見た目に不快である場合がある。多くの場合、美的な問題は、技術的な問題と同じくらいＷＡＰの位置付けを左右することがある。また、無線ネットワークが策定された状態で、無線アクセスポイントを設置するのにかなりの労力が必要であり、多くの場合に設置者は、各無線アクセスポイントの位置までのネットワーキングケーブルと電力接続をルーティングし、これらの装置のための取り付けブラケットを設置する必要がある。
【０００６】
一般的な企業環境では、有線イーサネット（登録商標）ウォールジャックは、通常はビジネスオフィスエリア全体に分散している。企業のＷＬＡＮ配備において有線ＬＡＮ（ＷＬＡＮ）インフラストラクチャー（例えば、ケーブル及びウォールジャック）を利用することは、ＷＬＡＮ設備をかなり簡単にすることができ、同時に配備コストを低下させるものである。ＷＬＡＮは、益々一般的になってきており、有線ネットワークが実現不可能であるか又は使用するのが厄介な企業内部、支店、家庭、喫茶店、その他の場所でカバレージ及び容量を提供する選ばれた技術として現れてきている。無線技術は、多くのこのような環境での新しい組の用途（例えば、ＩＰ電話上の無線音声、資産トラッキング、患者ケア、機器スケジューリング）を可能にする。これらの増大する必要性を満たすために、情報技術（ＩＴ）管理者のような専門家は、サイトを調査し、必要なカバレージ及び容量を提供するＷＬＡＮアクセスポイントに対する適切な位置を特定するためのネットワークプランを策定する必要がある。
【０００７】
適切な位置選択の判断基準は、無線周波数（ＲＦ）カバレージ要件だけではなく美的な考慮も含む。例えば、壁上又は天井に取り付けられたアクセスポイントは見に見えるものであり、それらがオフィス又は家庭の装飾物に当たる場合に問題となる。一般的な企業環境では、これは、ローカル規約、建物の設備と安全性、ＩＴグループを伴う様々な許可処理に対処することになるであろう。別の言い方をすれば、美的な問題は、技術的な問題と同じくらいに位置決めの問題を左右する可能性がある。サイトが選択されて承認された状態で、ブラケットを取り付けるためのアクセスポイントを設置する労力を必要とすること、ネットワークのケーブルをルーティングすること、新しいアクセスポイント位置まで電力接続を設けることなどを満たすべき他の要件が依然として存在すると考えられる。
【０００８】
ＷＬＡＮを簡単にして実施コストを下げるために、企業ＷＬＡＮ配備のための既存の有線ＬＡＮインフラストラクチャーを利用するという考え方が導入された。イーサネットウォールジャックは、ビジネスオフィスエリアのような企業環境で現在では通常使用されているものである。図２Ａ−２Ｃは、ネットワーク接続ポイント装置２００の例が、壁１０（壁１０は図２Ｃの破線で示されている）内に延びた穴１２の中に固定された接続箱２１０を含むことを示している。壁に加えて、これらの接続箱は、天井、支柱、仕切り、床、その他の建物の構造体に日常的に取り付けられる。接続箱２１０は、一般的に、釘又は他の適切な留め具を使用して壁の間柱（又は、他の構造体）に固定される。接続箱２１０は、内部空洞２１４を備え、開口部２１５を有するほぼ矩形のハウジング２１２を含む。カバープレート２２０が、接続箱２１０に固定される。カバープレート２２０は、カバープレート２２０の穴２２９を通って挿入されて接続箱２１０の合わせネジ穴２１９内に固定された１つ又はそれ以上のネジ留め具（例えば、ネジ又は他の適切な留め具）を使用して接続箱２１０に取り付けられる。１つ又はそれ以上のネットワークジャック２３０（例えば、イーサネットジャック）が、カバープレート２２０上に取り付けられ、各ネットワークジャック２３０は、カバープレートの前面２２８からアクセス可能なソケット２３５を有し、ソケット２３５は、一致するケーブルコネクタ（例えば、ＲＪ４５コネクタ）を受け取るようになっている。ネットワークジャック２３０の各々には、ケーブル２４０（例えば、イーサネットケーブル）が連結される。ケーブル２４０は、壁１０（又は天井、支柱、仕切り、床、又は他の構造体）内に配置され、接続箱２１０に向けてルーティングされる。各ケーブル２４０は、ハウジング２１２の開口２１７を通って接続箱２１０の内部空洞２１４の中に延びている。
【０００９】
従来の有線ネットワーク接続ポイント装置３００の別の例が図３Ａ−３Ｃに示されている。図３Ａ−３Ｃの装置３００は、図２Ａ−２Ｃに示すものと類似であるが、設置を簡単にするために、取り付けブラケット３１０で接続箱２１０を置き換えている。取り付けブラケット３１０は壁１１の穴１３の中に取り付けられ、また、取り付けブラケット３１０はこの穴１３の中に延びるフレーム３１３を含み、フレーム３１３には開口部３１６が形成されている。フレーム３１３の開口３１８を通って挿入された１つ又はそれ以上の適切な留め具（例えば、ネジ及び釘）が、取り付けブラケット３１０を壁１１（壁１１は図３Ｃに破線で示されている）に固定する。次に、カバープレート２２０が、取り付けブラケット３１０に固定される（例えば、カバープレートの穴２２９を通ってフレーム３１３の合わせネジ穴３１９の中に延びる１つ又はそれ以上のネジ留め具を使用して）。カバープレート２２０が取り付けブラケット３１０に取り付けられる時に、カバープレート２２０上のネットワークジャック２３０は開口部３１６を通って延び、各ネットワークジャック２３０が、壁１１内に配置されて取り付けブラケット３１０の開口部３１６に向けてルーティングされたネットワークケーブル２４０に連結される。
【００１０】
図２Ａ−２Ｃ及び３Ａ−３Ｃに示すネットワーク接続ポイント装置２００、３００は、それぞれ、オフィスや他の企業ネットワークで通常見られるものである。最新の建物では、このようなネットワーク装置２００、３００は、それらがネットワーク接続を提供するコンピュータのようにほぼユビキタスになっている。これらの装置を構成する構成要素、例えば、接続箱２１０又は取り付けブラケット３１０、カバープレート２２０、ネットワークジャック２３０、ケーブル２４０は、様々な標準サイズ及び構成で容易に利用可能であり、これらの構成要素は、一般的に低コストであり設置が容易である。
【００１１】
上述の従来のＷＬＡＮ配備に伴う問題点のいくつかに対処するために、パワーオーバーイーサネット（ＰＯＥ）によって電力供給されるソケットアクセスポイント（ソケットＡＰ）が、「Ｅｘｔｒｅｍｅ  Ｎｅｔｗｏｒｋｓ（登録商標）」によって導入された。ソケットＡＰは、有線及び無線ＬＡＮアクセスポイントであり、一般的なイーサネットウォールジャックを置換し、環境装飾物に追加され、設置者が無線周波数（ＲＦ）カバレージの考慮のみに基づいてサイトを選択することができ、設置に関連するケーブル、材料、労力のコストを更に低減するように提案されたものである。しかし、ソケットＡＰが導入されても、多くの実施及び構造上の問題が依然として残っている。
【００１２】
【特許文献１】米国特許出願出願番号第１０／８６６，３４７号
【非特許文献１】Ｂｌｕｅｔｏｏｔｈ分科会（ＳＩＧ）著「Ｂｌｕｅｔｏｏｔｈシステムの仕様：コア」、１巻、１．１版、２００１年２月
【非特許文献２】「永久参考文献（ＰＲＤ）ＩＲ．３３」の「ＧＰＲＳローミング指針」、３，１．０版、２０００年４月
【非特許文献３】「ＰＲＤ  ＩＲ．４０」の「ＧＰＲＳネットワークインフラストラクチャー及び移動端末のためのＩｐｖ４アドレス指定及びＡＳ付番のための指針」、３．１．０版、２００１年９月
【非特許文献４】「ＥＴＳＩ  ＥＴＳ  ３００，６５２」、１版、「無線装置及びシステム（ＲＥＳ）；高性能無線ローカルエリアネットワーク（ＨＩＰＥＲＬＡＮ）タイプ１；機能仕様」，１９９６年
【発明の開示】
【発明が解決しようとする課題】
【００１３】
例えば、従来の手法（例えば、ソケットＡＰ）に伴う１つの問題は、回路が壁の内側に置かれることであり、これは、潜在的な構造や実施上の複雑さをもたらしている。構造上の複雑さのいくつかには、不十分な放熱、面倒な設置、高いコスト、低い製造可能性、配備の限定が含まれる。不十分な放熱に関して、完全に壁の内側にある一般的なＷＬＡＮアクセスポイントは、低い熱伝導をもたらし、アクセスポイントの性能劣化、より短い寿命、付加的なコスト、場合によっては建物の安全上の問題及び／又は違反を更にもたらすことになる。
【００１４】
このような装置の設置は、アクセスポイントへのネットワーク接続を作り出すために既存の建物のイーサネット／電話のジャックとの再接続を必要とするので比較的面倒である。また、再接続はアクセスポイントを装着するために壁の開口部の切断や変更を必要とすることがあり、これは、特別の技能を有する専門の設置者を一般的に必要とする。また、アンテナとＰＯＥ回路を有するＷＬＡＮアクセスポイント全体を接続箱により制限された小さなスペースに嵌め込むために、三次元に配列された複数の回路基板を有する設計が避けられない。このような複雑な構造は高価であり、低い製造性や試験可能性をもたらすものである。配備の限定に関しては、従来のＷＬＡＮアクセスポイントは、主にウォールジャック配備用に設計されており、壁又は天井の切断及び変更を必要とする従来の壁取り付け又は天井取り付け型装置には不適切である。
【課題を解決するための手段】
【００１５】
有線アクセスポイント及び無線アクセスポイントの組合せを有する統合有線及び無線アクセスポイント装置のためのシステム及び方法について説明する。一実施態様では、装置は、ローカルネットワークからアクセスポイントに延びるケーブルを通じてローカルネットワークに連結されたアクセスポイントを含む。アクセスポイントは、装置のハウジングの内部空洞の内側に配置されるようなサイズ及び形状を有する。
【００１６】
一実施態様では、アクセスポイントとそれに関連する回路を収容するハウジングが、アクセスポイント及び回路が壁の外側（例えば、壁の前）に残るように表面（例えば、壁、天井）に取り付けることができる。一実施形態では、統合アクセスポイント装置は、ＷＬＡＮアクセスポイントとして使用され、別の実施態様では、統合アクセスポイント装置は、組合せ有線及び無線ＬＡＮウォールプレートアクセスポイントとして使用される。
特許請求の範囲は、発明の特徴を詳細に示すものである。本発明の実施形態は、その利点と共に、添付図面に関連して以下の詳細説明から最も良く理解することができる。
【発明を実施するための最良の形態】
【００１７】
統合有線及び無線アクセスポイントウォールプレートのためのシステム及び方法を以下に説明する。本説明を通して、説明の目的で本発明の実施形態の完全な理解を提供するために多くの特定の詳細が示されている。しかし、本発明は、これらの特定の詳細のいくつかがなくても実施することができることは当業者には明らかであろう。他の場合には、公知の構造及び装置は、本発明の元になる原理を曖昧にしないようにブロック図の形で示されている。
【００１８】
以下の説明では、論理の実現、演算コード、リソース分割、リソース共有、及びリソース重複実装、システム構成要素の種類と相互関係、及び論理分割／統合選択のような多くの特定の詳細が本発明の様々な実施形態のより完全な理解を提供するために示されている。しかし、本発明の実施形態は、提供された開示に基づいてこのような特定の詳細がなくても実施することができることを当業者は認めるであろう。他の場合には、制御構造、ゲートレベル回路、完全なソフトウエア命令シーケンスは、本発明を曖昧にしないように詳しくは示されていない。当業者は、含まれる説明によって必要以上の実験をすることなく適切な機能を実施することができるであろう。
【００１９】
本発明の様々な実施形態を以下に説明する。様々な実施形態は、ハードウエア構成要素によって実施することができ、又は、汎用又は特殊用途向けプロセッサ又は機械又は命令でプログラムされた論理回路に様々な実施形態を実行させるのに使用することができる機械実行可能な命令に組み込むことができる。代替的に、様々な実施形態は、ハードウエア及びソフトウエアの組合せによって実施することができる。
【００２０】
本発明の様々な実施形態は、コンピュータプログラム製品として提供することができ、これは、コンピュータ（又は、他の電子装置）をプログラムして、本発明の様々な実施形態に従って処理を実施するために使用することができる記憶された命令を有する機械可読媒体を含む。機械可読媒体は、以下に限定されるものではないが、フロッピー（登録商標）ディスケット、光ディスク、コンパクトディスク読取専用メモリ（ＣＤ−ＲＯＭ）、磁気光ディスク、読取専用メモリ（ＲＯＭ）、ランダムアクセスメモリ（ＲＡＭ）、消去可能プログラム可能読取専用メモリ（ＥＰＲＯＭ）、電気的消去可能プログラム可能読取専用メモリ（ＥＥＰＲＯＭ）、磁気又は光カード、フラッシュメモリ、又は電子命令を記憶するのに適する別の種類の媒体／機械可読媒体を含むことができる。更に、本発明の様々な実施形態は、コンピュータプログラム製品としてダウンロードすることができ、プログラムは、搬送波に組み込まれたデータ信号又は通信リンク（例えば、モデム又はネットワーク接続）を通じた他の伝播媒体により、要求しているコンピュータに遠隔コンピュータから転送することができる。
【００２１】
図４Ａ−４Ｂは、統合有線及び無線ＬＡＮアクセスウォールプレート（統合ウォールプレート）構造４００の実施形態を示すブロック図である。統合ウォールプレート構造４００の正面図は図４Ａに示されている。統合ウォールプレート構造４００の背面図は図４Ｂに示されている。
【００２２】
図４Ａを参照すると、統合ウォールプレート構造４００の図示の実施形態は、矩形のウォールプレートハウジング４０２を含む。ハウジング４０２は、ネットワークスイッチへのイーサネット及びＰＯＥ接続のために組み込まれたイーサネットジャック（例えば、ＲＪ−４５ジャック）と共に、ＷＬＡＮアクセスポイントシステムと、有線ＬＡＮ及び電話ウォールプレートアクセスポイントとを組み合わせたものを含むウォールプレートシステムを収容するために使用され、有線アクセスポート（イーサネット及び／又は電話）は、内部空洞又は開口部４０４に配置される。ハウジング４０２は、様々な配線ネットワーク接続ポイントだけでなく電気プラグ、ライトスイッチ、ジャック、その他を含むことができる。ハウジング４０２は、プラスチック及び／又は金属で製造することができるが、他の材料及び複合材でも作ることができる。ハウジング４０２は、任意の適切なサイズと種類にすることができる。一実施形態では、ハウジング４０２は、有線／無線アクセスポイントを作る様々な電気的構成要素（例えば、集積回路チップ、回路基板、配線、コンデンサのような個々の電気素子）を更に収容する。
【００２３】
開口部４０４は、「通過」有線ＬＡＮと電話コネクタジャック４０６−４０８、さらにプラグ４１０−４１２が主ネットワーク（例えば、建物ネットワーク）に接続されるようにするために設けられる。一実施形態では、通過有線ＬＡＮ／電話ポートアセンブリ（有線ポートアセンブリ）４２６は、アダプタカバー４１８、イーサネットアダプタケーブル（ドングル−１）４２２、電話アダプタケーブル（ドングル−２）４２４を含む。ドングル−１（４２２）は、ケーブル４２２の一端にモジュラー式イーサネットアダプタジャック（例えば、ＲＪ−４５ジャック）（イーサネットジャック）４０６と他端にプラグ（例えば、ＲＪ−４５プラグ）（イーサネットプラグ）４１０とを有するカテゴリ−５（ＣＡＴ−５）ケーブル４２２を含む。ドングル−２（４２４）は、ケーブル４２４の一端にモジュラー式電話アダプタジャック（例えば、ＲＪ−１１ジャック）４０８と他端にプラグ（例えば、ＲＪ−１１プラグ）（電話プラグ）４１２とを備えた電話ケーブル４２４を含む。一実施形態では、アダプタカバー４１８、ドングル−１（４２２）、ドングル−２（４２４）は、直接的又は間接的に有線ポートアセンブリ４２６の中に互いに連結させることができる。有線ポートアセンブリ４２６は、２つのドングル４２２−４２４に限定されず、任意の数のイーサーネットと電話のジャック及びプラグをいくつかの用途で要求される場合又はローカルネットワークによってサポートされる場合に使用することができるようになっている。更に、任意の種類の標準的な工業用ケーブル、ジャック、プラグも使用することができる。
【００２４】
アダプタカバー４１８は、イーサネットや電話のジャック４０６−４０８に連結され、ハウジング４０２の開口部４０４にジャック４０６−４０８を固定する。アダプタカバー４１８は、任意の適切な接続手段又は方法（例えば、ネジ、鋲、マジックテープ（登録商標）、より糸、クランプ、及びクリップ）を使用して開口部４０４に固定されるか又はその上にスナップ式に留められる。アダプタカバー４１８は、プラスチック、金属、複合材料などを含む任意の適切な材料で作ることができる。
【００２５】
統合ウォールプレート構造４００はまた、取り付けネジ４３０を含み、ネジを１つ又はそれ以上の穴４３４を通して壁の中に延ばすことにより、壁（例えば、天井、石膏板、天井の梁、支えの梁、床の梁、及び一連の壁の間柱、又は他の骨組みに配置された他の外被）上に統合ウォールプレートのハウジング４０２を据え付け、取り付け、設置し、固定する。ハウジング４０２はまた、釘、クリップ、クランプなどのような他の形態の適切な留め具を使用して設置することができる。
【００２６】
図示の実施形態では、統合ウォールプレート構造４００は、要求されるか又は必要な場合には、ハウジング４０２に設けられる外部アンテナのためのアンテナコネクタ４３６を更に含む。任意数のコネクタ４３６を任意数の外部アンテナを接続するために設けることができるようになっている。統合ウォールプレート構造４００は、１つ又はそれ以上の内部アンテナなどを更に含み、外部アンテナは、内部アンテナに追加され、又はこれを補足するものである。外部アンテナ状態用発光ダイオード（アンテナＬＥＤ）４３８のセットは、外部アンテナの接続状態を示すために設けられている。ＬＥＤの別のセットは、ＷＬＡＮアクセスポイント状態用ＬＥＤ（アクセスポイントＬＥＤ）４３２を含む。それらの１つのＬＥＤは、電力状態（例えば、電力オン／オフ）を示し、１つのＬＥＤは、イーサネットネットワーク接続性のためのもの、１つのＬＥＤは、無線作動状態のためのもの、さらに任意的に別のＬＥＤは、第２の無線作動のためのものである。ただし、製品構成や他のそのような要素に依存する。
【００２７】
統合ウォールプレート構造４００の図示の実施形態は、開口部カバープレート（開口部カバー）４２０を更に含む。一実施形態では、開口部カバー４２０は、壁又は天井取り付け装置のためのイーサーネットと電話接続の使用を必要としない無線ウォールプレート装置（図６Ａ−６Ｂに示すような）に使用することができる。開口部カバー４２０は、開口部４０４をそれが使用されない場合に（例えば、無線ウォールプレートとして統合ウォールプレートを使用する場合に）覆うか又は封入し、多くのＩＴ管理者によって要求されるようにＷＬＡＮアクセスポイントイーサネットや電話接続の不必要なユーザアクセスを防ぐ。開口部カバー４２０は、任意の適切な接続手段又は方法（例えば、ネジ、鋲、マジックテープ、より糸、クランプ、及びクリップ）を使用して開口部４０４に固定されるか又はその上にスナップ式に留められる。アダプタカバー４２０は、プラスチック、金属、複合材料などを含む任意の適切な材料で作ることができる。
【００２８】
図４Ｂを参照すると、ハウジング４０２は、ストレートケーブル４１４の両端にケーブルプラグ（例えば、ＲＪ−４５プラグ）４１６、４２８を有し、１つのプラグ４２８が開口部４０４の内壁に連結されるか又はその中に差し込まれたイーサネットストレートケーブルアダプタ（ストレートケーブル）４１４を更に含む。一実施形態では、ストレートケーブル４１４は、統合ウォールプレート構造４００のアクセスポイントとローカル建物ネットワークのようなローカルネットワークとの間のイーサネット／ＰＯＥを接続するために使用される。
【００２９】
一実施形態では、統合ウォールプレートは、有線及び無線ＬＡＮアクセスポイント機能の両方を含む。別の言い方をすれば、統合ウォールプレート構造４００は、有線／無線ウォールプレート（図５Ａ−５Ｂ）及び／又は無線ウォールプレート（図６Ａ−６Ｂ）を組み合わせたものとして使用することができる。統合ウォールプレートは、設置が比較的容易であり、より低コストであり、堅牢な性能を提供し、小さな形状因子を有し、高い製造可能性を提供する。更に、統合ウォールプレートは、従来の壁取り付け及び天井取り付け装置の両方を含むのに十分なほど柔軟である。統合ウォールプレートのアクセスポイントは、複数経路の影響を軽減して様々な環境（例えば、オフィス環境）でのＷＬＡＮカバレージのより良い管理のために、いくつかの組合せと構成での内部アンテナ及び／又は外部アンテナで作動することができる。一実施形態では、統合ウォールプレートのアクセスポイントは、ＰＯＥによって電力供給される。
【００３０】
図５Ａ−５Ｂは、統合有線及び無線ＬＡＮアクセスウォールプレートの有線及び無線ＬＡＮアクセスウォールプレート装置５００の実施形態を示すブロック図である。有線及び無線ウォールプレート装置５００の正面図が図５Ａに示されている。有線及び無線ウォールプレート装置５００の背面図が図５Ｂに示されている。図４Ａ−４Ｂに関して説明した要素は、以下の本文では繰り返されない。
【００３１】
図５Ａは、統合ウォールプレートのハウジング４０２の開口部４０４にスナップ式に留められたアダプタカバー４１８を示すものである。図示の実施形態では、アダプタカバー４１８は、有線ポートアセンブリ４２６のイーサーネットと電話のジャック４０６−４０８に連結される。統合ウォールプレートは、有線イーサネットウォールプレートが存在する壁に取り付けられ、ウォールプレートのハウジングは壁の外側に保持され、言い換えると、イーサーネットと電話のジャック４０６−４０８を含むＷＬＡＮアクセスポイントの回路はまた、壁の外側（例えば、壁の前）に保持される。一実施形態では、アダプタカバー４１８をコネクタ開口部４０４にスナップ式に留めることにより、有線ポートアセンブリ４２６は、そのつめによって前面からハウジング４０２に確実に固定される。これは、有線ポートアセンブリ４２６が据え付けられてから前面（例えば、ユーザ側）から外れないようにするためである。しかし、有線ポートアセンブリ４２６は、ハウジング４０２の背面から取り外すこともできる。
【００３２】
組み立てられたアクセスポイントからのドングル−１（４２２）、ドングル−２（４２４）、ストレートケーブル４１４のプラグ４１０−４１２、４１６は、それぞれ、図示のように建物ネットワークジャック５０２−５０６（例えば、ＲＦ−４５ジャック、ＲＦ−１１ジャック）に接続される。ドングル−１（イーサネットケーブル）４２２とドングル−２（電話ケーブル）４２４のプラグ４１０−４１２は、それらがローカル建物ネットワークジャック５０２−５０４と互換性があるような特定の形状及び／又はサイズにすることができる。別の実施形態では、建物ネットワークのジャック５０２−５０４がアダプタカバープレート４１８に適合するような場合には、２つのアダプタケーブル４２２−４２４は、必要でなくなるか又は使用されない。一実施形態では、ドングル４２２−４２４は、ウォールプレートアクセスポイントと建物ネットワークとの間のイーサネットや電話ケーブル接続に一般的なソリューションをもたらし、ウォールプレートアクセスポイント装置を簡単にすることができる。
【００３３】
アダプタカバー４１８は、ハウジング４０２の開口部４０４を覆うように示されており、ハウジング４０２の内部空洞又は開口部４０４内に有線アクセスポイントを保持するのを助ける。アダプタカバー４１８は、任意の適切な接続手段又は方法を使用して開口部４０４に固定される。アダプタカバーは、任意の適切なサイズにすることができ、プラスチック、金属、複合材料のような任意の適切な材料を使用して作ることができる。
【００３４】
ケーブル接続が行われた状態で、ウォールプレートアクセスポイントを有する統合ウォールプレートのハウジング４０２は、１つ又はそれ以上の対応する穴４３４を通じて１つ又はそれ以上のネジ４３０で壁に取り付けられる。有線及び無線ウォールプレート装置５００の統合ウォールプレートの内部ケーブル接続は、設置が完了してしまってからは外側から手が届かないことになる。有線及び無線ＬＡＮウォールプレート装置５００と同様に、無線ウォールプレート装置６００（図６Ａ−６Ｂ）の無線ＬＡＮウォールプレートの内部ケーブル接続も外側からは手が届かない。また、例えば、有線電話回線４２４は、回路基板を通ることなくウォールプレートアクセスポイントを通過するので、電話コンプライアンスの証明を得る必要がなく、回路基板を通るより少ないイーサネット回線は、ＥＭＩ放射を低減させることができ、この結果、より低い製品コストをもたらす。更に、ウォールプレートアクセスポイントは、小さな形状因子で作られて薄く、オフィスの室内装飾への支障があるとしても最小である。アクセスポートユニット全体（例えば、ハウジング４０２）がより良い空気冷却を有する壁の外側に取り付けられるので、十分な放熱も得られる。
【００３５】
図５Ｂを参照すると、有線及び無線ウォールプレート装置５００の裏面が示されている。図示の実施形態では、ネットワーク接続は示されたように、組み立てられたアクセスポイントから来ている、ドングル−１（４２２）、ドングル−２（４２４）、ストレートケーブル４１４のそれぞれのプラグ４１０−４１２、４１６が、ローカルネットワークジャック５０２−５０６にそれぞれ差し込まれる。一実施形態では、ネットワーク接続は、ハウジング４０２の後部だけではなく壁の後部で行われ、イーサネットケーブル４２２、電話ケーブル４２４、ストレートケーブル４１４だけを壁の内側に残す。更に、ハウジング４０２は、壁の外側（例えば、壁の前）に残されたままの様々な電気構成要素（例えば、集積回路チップ、回路基板、配線、コンデンサのような個々の電気素子）を収容する。このような設定は、有線及び無線ウォールプレート装置５００の熱放射構成要素を壁の外側に残し、従って付加的な放熱は必要ない。
【００３６】
図６Ａ−６Ｂは、統合有線及び無線ＬＡＮアクセスウォールプレートの無線ＬＡＮアクセスウォールプレート（無線ウォールプレート）装置６００の実施形態を示すブロック図である。無線ウォールプレート装置６００の正面図が図６Ａに示されている。無線ウォールプレート装置６００の背面図が図６Ｂに示されている。図４Ａ−４Ｂ及び５Ａ−５Ｂに関して説明した要素は、以下の本文では繰り返されない。
【００３７】
図６Ａに示す実施形態では、無線ウォールプレート装置６００は、ウォールプレートアクセスポイント構造のＷＬＡＮ配備／再配備を含む。統合ウォールプレートと同様に、無線ウォールプレートは、壁又は天井を切断する必要がなく、壁及び天井の下又は上などに取り付けることができる。一実施形態では、建物ネットワークからのネットワークケーブル（例えば、ＣＡＴ−５ケーブル）６０４は、ハウジング４０２に取り付けることができ、アクセスポイントハウジングの下に収めることができ、イーサネット接続を付加的な保護カバーを必要とすることなく守ることができる。ネットワークケーブル６０４は、容易な設置とカバーのために、ハウジング４０２の後部にあるケーブル開口部４４０の中に滑り込ませる。
【００３８】
開口部カバー４２０は、ハウジング４０２の開口部４０４を覆うためにハウジング４０２に固定され、接続箱ハウジング４０２の開口部（又は、内部空洞）４０４内の無線アクセスポイントを囲む。開口部カバー４２０は、任意の適切な接続手段又は方法を使用してハウジング４０２に固定される。開口部カバー４２０は、任意の適切なサイズとすることができ、また、プラスチック、金属、複合材料を含む任意の適切な材料から作ることができる。一実施形態では、開口部カバー４２０は、つめ、留め具（例えば、ネジ、鋲、及びマジックテープ）、又は接着剤（例えば、エポキシ樹脂）を含む任意の適切な接続手段又は方法を使用して、ハウジング４０２の開口部４０４上に固定されるか又はスナップ式に留められる。
【００３９】
ハウジング４０２は、無線アクセスポイントを作る様々な電気的構成要素（例えば、集積回路チップ、回路基板、コンデンサのような個々の電気素子、配線など）を収容するために使用することができる。しかし、無線アクセスポイントは、様々な電気的構成要素が配置された回路基板を含むことができ、この回路基板アセンブリが単にハウジング４０２に設置されることを理解すべきである。
【００４０】
１つ又はそれ以上の外部アンテナを追加するための１つ又はそれ以上のコネクタ４３６が、ハウジング４０２に連結される。一実施形態では、外部アンテナは、据え付けられる時に、ハウジング４０２から延びるコネクタ４３６を通じてハウジング４０２の内側に配置された無線アクセスポイントに連結される。別の実施形態では、無線アクセスポイントは、ハウジング４０２の内側にある１つ又はそれ以上の内部アンテナに更に連結される。内部アンテナは、無線ウォールプレートの基本回路の一部とすることができ、又は無線アクセスポイントに接続した別々の装置を含むことができる。内蔵又は外付けのアンテナは、無線通信の任意の望ましいモード（又は、複数のモード）に適応させられた任意の適切なアンテナを含む。例えば、アンテナは、ＩＥＥＥ８０２．１１ａ、ＩＥＥＥ８０２．１１ｂ、及びＩＥＥＥ８０２．１１ｇ仕様、又は「ジェネラル・パケット・ラジオ・サービス（ＧＰＲＳ）」に準拠することができる。
【００４１】
図６Ｂを参照すると、一実施形態では、ローカル（建物）ネットワークからのネットワークプラグ（例えば、ＣＡＴ−５プラグ）６０２が、無線ウォールプレートのアクセスポイントに接続されている。開口部カバー４２０は、ユニットハウジング４０２のコネクタ開口部４０４を覆うのに使用され、内部イーサネット／ＰＯＥ接続を保護する。無線アクセスポイントを有するハウジング４０２は、直接か又は取り付けブラケット又は穴４３４を通じて、１つ又はそれ以上のネジ４３０により壁又は天井の下／上に取り付けることができる。
【００４２】
ネットワークプラグ６０２を有するネットワークケーブル６０４によって建物ネットワークに接続した無線アクセスポイントは、開口部カバー４２０によって覆われたハウジング４０２の内部空洞又は開口部４０４の中に配置される。ネットワークプラグ６０２は、無線ウォールプレートのアクセスポイントに接続されるか又はその中に差し込まれる。無線アクセスポイントは、コンピューティングノードにネットワーク（例えば、図１のネットワーク１００）への無線アクセスを提供する多くのこのような装置のいずれか１つを表すものである。
【００４３】
無線アクセスポイントは、無線通信の任意の適切なモードを使用して無線ネットワークアクセスを提供することができる。一例として、無線アクセスポイントは、ＩＥＥＥ８０２．１１ｂ及びＩＥＥＥ８０２．１１ｇ規格（例えば、２．４ＧＨｚ帯域）、又はＩＥＥＥ８０２．１１ａ規格（例えば、５ＧＨｚ帯域）、及びＢｌｕｅｔｏｏｔｈ（登録商標）仕様（例えば、２．４ＧＨｚ帯域）に準拠する無線通信を提供するようになっている。例えば、ＩＥＥＥ８０２．１１ａ−１９９９規格、情報技術のためのＩＥＥＥ規格の補足−システム間の電気通信及び情報交換−ローカル及びメトロポリタンエリアネットワーク−特定要件−パートＩＩ：無線ＬＡＮ媒体アクセス制御（ＭＡＣ）及び物理層（ＰＨＹ）仕様−５ＧＨｚ帯域での高速物理層（ＩＥＥＥ８０２．１１ａ）、ＩＥＥＥ８０２．１１ｂ−１９９９規格、情報技術のためのＩＥＥＥ規格の補足−システム間の電気通信及び情報交換−ローカル及びメトロポリタンエリアネットワーク−特定要件−パートＩＩ：無線ＬＡＮ媒体アクセス制御（ＭＡＣ）及び物理層（ＰＨＹ）仕様−２．４ＧＨｚ帯域での高速物理層拡張（ＩＥＥＥ８０２．１１ｂ）、及びＩＥＥＥ８０２．１１ｇ（草稿）−２００３規格、２．４ＧＨｚ帯域でのより高速の物理層拡張を参照されたい。また、例えば、Ｂｌｕｅｔｏｏｔｈ分科会（ＳＩＧ）によって公開され、ｈｔｔｐ：／／ｗｗｗ．ｂｌｕｅｔｏｏｔｈ．ｃｏｍで利用可能な「Ｂｌｕｅｔｏｏｔｈシステムの仕様：コア」、１巻、１．１版、２００１年２月を参照されたい。
【００４４】
無線アクセスポイントは、ＧＰＲＳ準拠通信（例えば、両方ともｈｔｔｐ：／／ｗｗｗ．ｇｓｍｗｏｒｌｄ．ｃｏｍでＧＳＭ（登録商標）アソシエーションから利用可能である、「永久参考文献（ＰＲＤ）ＩＲ．３３」の「ＧＰＲＳローミング指針」、３，１．０版、２０００年４月、及び「ＰＲＤ  ＩＲ．４０」の「ＧＰＲＳネットワークインフラストラクチャー及び移動端末のためのＩｐｖ４アドレス指定及びＡＳ付番のための指針」、３．１．０版、２００１年９月を参照されたい）、又は欧州「ＨｉｐｅｒＬＡＮ」準拠通信（例えば、「ＥＴＳＩ  ＥＴＳ  ３００，６５２」、１版、「無線装置及びシステム（ＲＥＳ）；高性能無線ローカルエリアネットワーク（ＨＩＰＥＲＬＡＮ）タイプ１；機能仕様」，１９９６年、並びに欧州電気通信規格研究所（ＥＴＳＩ）によって公開され、ｈｔｔｐ：／／ｗｗｗ．ｅｔｓｉ．ｏｒｇで利用可能なこの群の他の仕様を参照されたい）における使用のような任意の他の適切な通信モードにおける使用に対して適応させることができることを理解すべきである。
【００４５】
一実施形態では、ネットワークケーブル６０４は、ネットワークプラグ６０２を通じて無線アクセスポイントに連結される。ネットワークケーブル６０４は、壁（又は天井、支柱、仕切り、床、又は他の構造体）の中に配置され、無線ウォールプレートに向けてルーティングされ、ハウジング４０２の後部の開口４４０に通される。ネットワークプラグ６０２を有するネットワークケーブル６０４の端部は、ケーブルの開口４４０を通ってハウジング４０２の開口部４０４に延び、ここでネットワークプラグ６０２は、ハウジング４０２にある無線アクセスポイントに差し込まれる。ネットワークケーブル６０４は、ＰＯＥ規格（又は、低電圧電力を接続した装置に伝送するための別の独自仕様又は標準的方法）に準拠した「ＣＡＴ−５」ケーブルのような任意の適切な種類のネットワーキングケーブルを含む。
【００４６】
ネットワークケーブル６０４は、電気ケーブル（例えば、銅線）を更に含むことができる。ＩＥＥＥ８０２．３ａｆ草稿仕様、ＣＳＭＡ／ＣＤアクセス方法及び物理層仕様の補足−媒体依存インタフェース（ＭＤＩ）を通じたデータ端末装置（ＤＴＥ）電力、２００２年（「パワーオーバーイーサネット」としても公知）を参照されたい。ＰＯＥ規格は、低電力装置が別々の電源を有する必要性を排除するために、ＤＣ電圧（例えば、４８ボルト）が「ＣＡＴ−５」ケーブル（４つの２ワイヤ対又は８つのワイヤを含む）の２ワイヤ対に加えられることを要求する。別の言い方をすれば、データを運ぶことに加えて、ネットワークケーブル６０４は、例えば、ハウジング４０２に別々の電力回線をルーティングする必要性を排除するために無線アクセスポイントに電力を送るように使用することができる。無線アクセスポイントは、イーサネット用途に限定されず、無線アクセスポイントはまた、非同期転送モード（ＡＴＭ）及び同期式光ネットワーク（ＳＯＮＥＴ）などのような任意の種類のネットワーク構造又は規格と共に使用するようになっており、ＰＯＥに代わる方法を電力を送るために利用することができるようになっている。
【００４７】
図７は、統合ＬＡＮアクセスウォールプレートシステム（システム）７００の無線ＬＡＮ部分の実施形態を示すブロック図である。システム７００の図示の実施形態は、ＩＥＥＥ８０２．１１ａ、ＩＥＥＥ８０２．１１ｂ、及び／又はＩＥＥＥ８０２．１１１ｇ規格に従う無線ＬＡＮアクセスポイント（統合ウォールプレートの）を含む。システム７００は、有線ＬＡＮを通じたネットワークスイッチからの規格ＩＥＥＥ８０２．３ａｆパワーオーバーイーサネット（ＰＯＥ）によって電力供給される。
【００４８】
図示の実施形態では、システムは、電源モジュラー式基板（電力基板）７０４に連結された主基板７０２を含む。電力基板７０４は、ＰＯＥベースのＩＥＥＥ８０２．３ａｆ規格に従うスイッチング電源モジュールを含む。ＩＥＥＥ８０２．３ａｆは、イーサネットケーブルを通じてネットワーク装置に電力を供給するためのＩＥＥＥ規格と見なされるものである。これは、一般的に、「ＣＡＴ−５」ケーブルのような標準イーサネットケーブルの４つの導体（モードＡ又はモードＢ）又は８つの導体（モードＡプラスモードＢ）全体に４８ボルトを供給する。
【００４９】
主基板７０２は、遮蔽されたＲＦ送受信機７０６を更に含む。送受信機７０６は、２．４ＧＨｚ及び５ＧＨｚ帯域のようなマルチバンド送受信機を含む。送受信機７０６は、単一チャンネル作動のための送信機７１０と受信機７０８の対を含み、又は製品構成に応じて２チャンネル並行作動のための送信機７１０と受信機７０８の２つの対を含むことができる。ベースバンドモデム／ＭＡＣブロック７１２のベースバンドモデム（例えば、ＩＥＥＥ８０２．１１ａ／ｂ／ｇモデム）は、単一論理要素（単一チャンネル作動のため）又は２つ又はそれ以上の論理要素（二重又は多重チャンネル並行作動のため）のいずれかを含む。更に、ベースバンドモデム／ＭＡＣブロック７１２は、単一論理要素（単一チャンネル作動のため）又は２つ又はそれ以上の論理要素（二重又は多重チャンネル並行作動のため）を含む媒体アクセスコントローラ（ＭＡＣ）（例えば、ＩＥＥＥ８０２．１１ａ／ｂ／ｇＭＡＣ）を含む。ベースバンドという用語は、いかなる付加的な変調もないデジタルパルスの送信のことを示すものである。ベースバンドという用語は、一般的に、回路の他方の側が信号が変調されていることを意味するブロードバンド又は周波数ベースである場合に、回路の純粋なデジタル側を示すために使用される。例えば、「ＲＦからベースバンドへ」は、変調されたＲＦ信号をアナログ又はデジタル携帯電話タワーから更に別の処理のために純粋なデジタルに変換することを意味する。
【００５０】
一実施形態では、主基板７０２は、イーサネットＭＡＣ７１４、イーサネット物理層（ＰＨＹ）７１６、変圧器７１８、ジャック７２０を更に含む。イーサネットＰＨＹ７１６は、ネットワーク媒体全体にビットの送信を提供するために使用される。変圧器７１８は、交流（ＡＣ）電圧を変えるか又はインピーダンスを変えるために使用される。一般的に、変圧器７１８は、電圧又はインピーダンス変化を引き出すコイル比を有するワイヤの２つのコイルが巻かれた鋼積層体から作られる。イーサネットの用途では、変圧器７１８は、データのインピーダンス変更のために使用することができる。安全目的のために、ネットワーク側のＤＣ電源と電力装置（ＰＤ）の間に、例えば、無線ＬＡＮアクセスポイントのＤＣ絶縁のためにも変圧器７１８を使用することができる。変圧器の入力と出力のインピーダンス比は、コイル比の二乗に等しい。例えば、入力コイルが１００巻線を有し、出力コイルが２００巻線を有する場合、例えば、２５オームの入力インピーダンスは、出力では１００オームに変わる。また、ＰＤへの直流（ＤＣ）電力を生成するために、ＰＯＥからの４８ボルトＤＣ電力は、電源モジュール７０４にあるＤＣ−ＤＣ電圧コンバータによってＰＤに必要な電圧に変換される。ジャック７２０は、モジュラー式「ＲＪ−４５」イーサネットジャック４０６（図４Ａにおけるような）のようなイーサネットジャックを含むことができる。
【００５１】
一実施形態では、主基板７０２は、プロセッサ７２２、フラッシュメモリ７２４、同期式ダイナミックＲＡＭ（ＳＤＲＡＭ）７２６、ＬＥＤ７２８を更に含む。プロセッサ７２２は、ＭＩＰＳプロセッサ又は他の種類のプロセッサとすることができる。フラッシュメモリ７２４は、電力なしでそのコンテンツを保持する消去可能及び再書込み可能メモリチップを含む。また、フラッシュメモリ７２４は、フラッシュＲＡＭ又はフラッシュＲＯＭと呼ばれ、無数の消費者用及び工業用製品に広く使用されている。フラッシュメモリ７２４は、デジタルメモリカード（例えば、コンパクトフラッシュ（登録商標）、スマートメディア、及びメモリスティック）を含むプリント回路基板取り付け用の独立型チップや様々な取外し可能モジュールとしてパッケージ化される。ＳＤＲＡＭ７２６は、標準ダイナミックＲＡＭチップに基づいているが、標準ダイナミックＲＡＭをかなり高速にする高度な機能を有する。例えば、ＳＤＲＡＭ７２６は、待機状態を排除するためにコンピュータプロセッサユニット（ＣＰＵ）クロックと同期するのに十分高速である。また、ＳＤＲＡＭ７２６は、２つのセルブロックに分かれ、一方のブロックでのビットがアクセスされる間に、他方のブロックのビットがアクセスの準備をされるように、データがこの２つのブロックの間に交互に配置される。ＬＥＤ７２８は、２つ又はそれ以上のＬＥＤのセットを含むことができる。ＬＥＤの第１セットは、外部アンテナの接続状態を示すために１つ又はそれ以上のＬＥＤを含むことができる。ＬＥＤの別のセットは、電力オン／オフ状態、イーサネットネットワーク接続、無線作動状態を含むＷＬＡＮアクセスポート状態を示すために１つ又はそれ以上のＬＥＤを含み、製品構成により任意的に、第２無線作動のための別のＬＥＤを含むことができる。
【００５２】
マルチバンドアンテナ（例えば、２．４ＧＨｚ及び５ＧＨｚ）を含む２つの内部アンテナ７３０−７３２は、空間的ダイバーシティ及びより良い信号カバレージのために設けられている。内部アンテナ７３０−７３２は、主基板７０２上に組み込まれる。システム７００は、１つ又はそれ以上の外部アンテナのためのコネクタ４３６を更に含む。コネクタ４３６は、特に、統合ウォールプレートが部屋の隅部又は低い所にある場合に、向上した信号カバレージを得るために外部アンテナを接続するための逆極性ＳＭＡ雌コネクタを含むことができる。任意数の内部アンテナ７３０−７３２と外部アンテナは、望ましいか又は必要な場合にシステム７００に追加することができるようになっている。
【００５３】
システム７００は、内部アンテナ７３０−７３２と外部アンテナの任意の組合せの選択を容易にするために、スイッチ（例えば、ＲＦスイッチ）７３４−７３６を更に含んでいる。アンテナダイバーシティスイッチ７３８は、単一論理チャンネル作動に対するダイバーシティを送信及び／又は受信するためのアンテナを選択するために使用され、又は二重論理チャンネル並行作動に対しては、２つのそのようなスイッチが使用される。主基板７０２は、高密度コネクタ７４０を更に含み、開発中及び故障分析のためのシステムデバッギングのために、任意の数のコネクタ（例えば、汎用入力／出力（ＧＰＩＯ）、「ジョイント・テスト・アクション・グループ（ＪＴＡＧ）」、及びコンソールポート）をこの１つの高密度コネクタ７４０の中に束ねるものである。
【００５４】
図８は、統合ＬＡＮアクセスウォールプレートシステム（システム）８００の回路基板構成の実施形態を示すブロック図である。図示の実施形態のシステム８００は、ＷＬＡＮアクセスポイントハウジングの内側の２つの回路基板と共に組み立てられる。２つの回路基板は、主基板７０２と電力基板７０４を含む（図７に示すように）。主基板７０２は、様々な回路を含み、有線／無線ＬＡＮアクセスポートを支持し、様々な機能及び実施形態（本明細書に開示されるような）を容易にする。電源７０４は、電力を供給するために使用される。
【００５５】
主基板７０２上にあるＲＦ送受信機７０６は、不必要なＥＭＩを低減するために、主基板７０２に取り付けられるか又は半田付けされた金属製の容器で遮蔽されてもよい。主基板７０２は、１つ又はそれ以上の基板上又は基板内コネクタ８０２−８０４を通じて電力基板７０４に直接的又は間接的に接続される。電力基板７０４は、ＩＥＥＥ８０２．３ａｆＰＯＥ規格をサポートし、主基板７０２によって必要とされる電圧を供給する。
【００５６】
一実施形態では、主基板７０２と電力基板７０４の分離は、材料のコストを低減するのを助け、より高品質の制御、容易な製品デバッギング、より簡単な事後サポートサービス、向上した製造可能性、向上した製品品質を提供する。一実施形態では、片面構成要素法又は両面構成要素実装法、又はこれらの２つの方法を組み合わせたものは、製品の焦点、構成、要求、必要性により、主基板７０２上に回路基板を組み立てるのに適用することができる。片面実装法は、より低い材料と製造コスト、より良い製造可能性、より良い製品品質を提供することができるが、より大きな回路基板を必要とする。両面実装法は、比較的小さな回路基板のサイズを提供することができる。
【００５７】
ＷＬＡＮ信号は、特に屋内のオフィス環境でマルチパス干渉を受けることがある。より良い無線リンク品質ためにマルチパス作動を軽減するために、空間ダイバーシティを得るための技術が受信機７０８と送信機７１０の両方に用いられる（図７）。一実施形態では、アンテナ選択が空間ダイバーシティを達成するために使用される。更に、ＷＬＡＮカバレージは、アンテナ特性と位置によって判断される。一実施形態では、最大空間ダイバーシティとカバレージを得るために、任意数の内蔵及び外部アンテナが設けられる。図示の実施形態では、２つの内部アンテナ（例えば、Ａ１、Ａ２）７３０−７３２が設けられ、２つの付加的な外部アンテナ（例えば、Ａｘ１、Ａｘ２）をアンテナコネクタ４３６を使用してウォールプレートハウジングに接続することができる。様々なカバレージの必要性と要件を満たすために、内部アンテナ７３０−７３２及び外部アンテナのどのような組合せも使用することができる。一実施形態では、１つ又はそれ以上のアンテナ（例えば、内部アンテナ７３０−７３２）は、システム制御ソフトウエアによって空間ダイバーシティ作動に対して予め選択することができる。図示の実施形態では、内部アンテナ７３０−７３２のみ、外部アンテナのみ、内部アンテナと外部アンテナの組合せといった内部アンテナ７３０−７３２と外部アンテナの組合せのいずれかを使用することができる。
【００５８】
柔軟なアンテナ選択により、ネットワーク立案者は、より向上したＷＬＡＮネットワーク最適化を追求することができる。アンテナの組合せは、自動的に又はソフトウエア制御の下で選択することができる。外部アンテナに付随するＬＥＤ７２８は、外部アンテナの内部接続状態を示すために使用される。回路基板面積の縮小を助けるために、高密度低プロフィールコネクタ７４０が使用され、外付け使用のための組込み型プロセッサからの試験ポイント、ＧＰＩＯ、ＪＴＡＧ、及びコンソールポートのようなコネクタのセットを束ねることになる。特定のアダプタ基板は、開発中と故障分析のためのデバッギング用高密度コネクタポート７４０を利用するために使用される。１つ又はそれ以上の集積回路（ＩＣ）デバイス８０６は、いくつかのこれらの機能を行うために主基板７０２上に設置することができる。
【００５９】
図９は、統合ＬＡＮアクセスウォールプレートシステム（システム）９００のアセンブリ構造の実施形態を示すブロック図である。上述の特徴の多くは、以下の本文では示されない。図示の実施形態では、システム９００は、イーサネットジャック４０６と電話ジャック４０８を含むコネクタジャックのセットを含んでいる。イーサネットジャック４０６と電話ジャック４０８は、それぞれ、イーサネットケーブル４２２と電話ケーブル４２４に延長される。構造９００は、建物ネットワークからウォールプレートのアクセスポイントに延びるストレートケーブル４１４の一端にプラグ４２８を更に含んでいる。
【００６０】
システム９００は、コネクタジャック４０６−４０８に連結され、クリップ、クランプ、歯、ネジなどによってハウジングの開口部にスナップ式に留められたアダプタカバー４１８を更に含む。一実施形態では、ウォールプレート又はウォールプレートハウジングは、ウォールプレートのハウジングを通るシリンダ状の穴を通じて壁９０２にネジ４３０で留めることによって壁９０２（２つの破線で示される）に固定される。一実施形態では、クリップやクランプのような取り付け手段の他の形態も使用することができ、ウォールプレートの取り付けは、壁９０２だけに限定されず、天井、床、グラファイトボードなどを含むことができる。
【００６１】
一実施形態では、システム９００のウォールプレート又はハウジングは、ウォールプレートアクセスポイントや関連の回路（例えば、イーサーネットと電話ジャック４０６−４０８、熱放射構成要素、様々な回路デバイス）が壁９０２の外側（例えば、壁の前）に残されるように壁（又は天井）９０２に取り付けられる。壁９０２の外側に回路を配置することにより、不十分な放熱、厄介な設置、高いコスト、低い製造可能性、限られた配備のような潜在的な問題の多くが無くなるか又は少なくなる。より具体的には、例えば、壁９０２の外側に回路を残すことにより、低い熱伝導のような放熱に関する問題、性能劣化、より短い寿命、付加的なコスト、場合によっては建物の安全上の問題及び／又は違反を排除するか又は問題のないレベルまで低減することができる。
【００６２】
一実施形態では、システム９００は、プラスチックのような適切な材料から作られるラジオドーム（レードーム）カバー９０４によって覆われた外側の目に見えるハウジングを含み、これは、内部アンテナへかつ内部アンテナからのＲＦ放射に対して透過性である。更に、レードームカバーは、ネジ９０８、クリップ、クランプ、接着剤などを使用することによって底部プレート９０６に固定することができる。底部プレート９０６は、主基板と電力基板を支持するためのシステム９００の隠れた部分である。ＷＬＡＮ回路基板９１２（例えば、主基板、電力基板）は、ネジ９１０などを通じて底部プレート９０６に固定される。一実施形態では、底部プレート９０６は、システム９００の熱放射電子構成要素及び装置からの過度の熱を吸収するための放熱器として働く。底部プレート９０６は、板金（例えば、アルミニウム）、金属成形、プラスチック、その他の任意の適切な材料から作ることができる。
【００６３】
一実施形態では、有線及び無線ＬＡＮアクセスウォールプレートシステム９００は、企業セキュリティや資産管理のための無線識別（ＲＦＩＤ）トラッキング及び運動レーダー作動式ビデオモニタリングのような他の有線及び無線技術を含むように拡張することができる。これらの無線技術は、有線／無線ＬＡＮウォールプレートに含めるか、又は、様々な機能をサポートする異なるウォールプレートを形成するために有線ＬＡＮ／電話ポートに別々に統合させるかのいずれかにすることができる。
【００６４】
上述の例よりも少ないか又は多く装備されたシステムがいくつかの実施例に対して望ましい場合があることが認められる。従って、システム９００の構成は、価格の制約、性能要件、技術的な向上、及び／又はその他の状況のような多くの要素に応じて実施例毎に異なるものである。
【００６５】
本明細書で説明する実施形態は、プログラムされたプロセッサの制御の下で行われ、代替的な実施形態では、実施形態は、フィールドプログラム可能ゲートアレイ（ＦＰＧＡ）、ＴＴＬ論理、又は用途特定集積回路（ＡＳＩＣ）のような任意のプログラム可能又はハードコード化論理によって完全に又は部分的に実施することができる点に注意すべきである。更に、本発明の実施形態は、プログラムされた汎用コンピュータ構成要素及び／又はカスタムハードウエア構成要素の任意の組合せによって実施することができる。従って、本明細書に開示したもののいずれも、列挙された実施形態がハードウエア構成要素の特定の組合せによって実施される場合がある特定的な実施形態に本発明の様々な実施形態を限定するように解釈してはならない。
【００６６】
本明細書で説明した有線／無線アクセスポイント装置、方法、システムの実施形態について、当業者は、開示された実施形態の利点を認めるであろう。ハウジングに設けられるか、又は取り付けブラケットを利用するウォールプレート装置に配置された無線アクセスポイントは、壁、天井、支柱、仕切り、床、又はその他の建物の構造体に配置されても、また、引っ込めるか又は表面取り付けでも、単にカバープレート（例えば、開口部カバー）が可視であるので向上した美観を提供する。統合ウォールプレートについては、コネクタジャックも目に見えるものである。無線／無線アクセスポイントのサイト選択は、美観に関して何の心配もなくカバレージの考察に基づくことができる。壁９０２の外側に回路を配置することにより、不十分な放熱、厄介な設置、高いコスト、低い製造可能性、制限された配備のような潜在的な問題の多くが無くなるか又は少なくなる。
【００６７】
また、無線アクセスポイントがカバープレートの下に隠れているので、セキュリティが向上され、無線アクセスポイントが不正変更又は窃盗を受けにくいことになる。既存の構成と配線を利用することができ、かつ僅かのツールしか必要としない設置は簡単であり、従って、労力のコストが低減される。更に、この設置は、標準ハウジングによって占められるスペースの内側に全無線アクセスポイントを配置するので、かなりのスペースの節約を実現することができる。開示された無線アクセスポイント装置は、既存の有線ネットワーク接続ポイントやインフラストラクチャーを利用することができ、これらの装置は、別々の電源又はケーブルのいかなる必要性をも排除するのを助けるＰＯＥ規格（又は類似の方法）に適合させることができる。更に、ネットワークジャックを無線アクセスポイント装置に組み込むことにより、有線及び無線接続の両方を提供することができる。
【００６８】
図１０は、統合ＬＡＮアクセスウォールプレートシステムを設置するための処理を示す流れ図である。最初に、処理ブロック１００２で、ＷＬＡＮ配備システム設計が開始される。一実施形態では、統合ウォールプレート装置は、望ましいか又は必要な場合には、有線及び無線ウォールプレート装置又はＷＬＡＮアクセスポイント装置を含む。判断ブロック１００４では、設置が（１）有線及び無線ウォールプレート装置か、又は（２）ＷＬＡＮアクセスポイント装置か否かの判断が行われる。望ましい装置が有線及び無線ウォールプレート装置の場合には、既存の有線ウォールプレートが選択され、ネットワークケーブル接続が処理ブロック１０１０で切られる。次に、ネットワークケーブルが統合ウォールプレートに接続され、ウォールプレート開口部は、処理ブロック１０１２でアダプタカバーによって覆われる。一実施形態では、アダプタカバーが有線ポートアセンブリに連結され、ウォールプレートの開口部にスナップ式に留められる。処理ブロック１０１４で、統合アクセスポイントは、有線ウォールプレートフレームに取り付けられる。
【００６９】
一実施形態では、判断ブロック１０３０で、１つ又はそれ以上の外部アンテナが必要か否かの判断が行われる。アンテナは、既に埋め込まれた内部アンテナを補足することによって向上した空間ダイバーシティを提供するための外部アンテナを含むことができる。内部アンテナは、予めパッケージ化されるか又はハウジング内の無線アクセスポイントに予め連結される。外部アンテナが加えられる場合、これらは、処理ブロック１０３２でアンテナのために供給されたコネクタを使用してハウジングに接続されて取り付けられる。次に、処理が完了して終了ブロック１０３４で終了する。外部アンテナが加えられない（又は、既に接続されている）場合は、処理は、完了して終了ブロック１０３４で終了する。
【００７０】
判断ブロック１００４に戻って参照すると、ＷＬＡＮアクセスポイント装置が好ましいという判断が行われた場合、ネットワークケーブルは、処理ブロック１０２０で要求される位置にＰＯＥによってルーティングされる。ネットワークケーブルは、壁又は天井、支柱、仕切り、床、又は他の構造体内に配置されたネットワークケーブルを含むことができ、望ましい位置は、アクセスポイントのような統合ウォールプレート内の適切な位置とすることができる。次に、ネットワークケーブルは、統合ウォールプレートに接続され、一方、ウォールプレート開口部は、処理ブロック１０２２で開口部カバーによって覆われる。開口部は、人の接触、ほこり、その他の不必要な外部への露出からアクセスポイントを保護するために開口部カバーで覆われる。次に、処理ブロック１０２４で、ＷＬＡＮアクセスポイントは、ある一定の表面（例えば、壁、天井、基板）上に取り付けられる。この取り付けは、アクセスポイント及び関連回路が表面の外側に残るように行われる。
【００７１】
判断ブロック１０３０で、１つ又はそれ以上の外部アンテナが必要か否かの判断が行われる。外部アンテナが加えられる場合、これらは、処理ブロック１０３２でアンテナのために供給されたコネクタを使用してハウジングに接続されて取り付けられる。次に、処理は、完了して終了ブロック１０３４で終了する。外部アンテナが加えられない（又は、既に接続されている）場合は、処理は、完了して終了ブロック１０３４で終了する。
【００７２】
本明細書を通して「一実施形態」又は「実施形態」への言及は、その実施形態に関連して説明された特別な特徴、構造、又は特性が本発明の少なくとも１つの実施形態に含まれているという意味であることを認めるべきである。従って、本明細書の様々な部分での「実施形態」又は「一実施形態」又は「代替的な実施形態」への２度又はそれ以上の言及は、必ずしも全てが同じ実施形態を指すものではないことが強調されてかつそれを認めるべきである。更に、特別な特徴、構造、又は特性は、本発明の１つ又はそれ以上の実施形態に適切なように組み合わせることができる。
【００７３】
同様に、本発明の例示的な実施形態の上述の説明において、開示を分りやすくして１つ又はそれ以上の様々な本発明の態様の理解を助けるために、本発明の様々な特徴は、場合によっては、本発明の単一の実施形態、図面、又は説明に一緒にまとめられることを認めるべきである。しかし、この開示の方法は、特許請求の発明が各請求項に明確に示す以上の特徴を必要とするという意図を反映するようには解釈されないものとする。逆に、特許請求の範囲に反映されるように、本発明の態様は、単一の上述の開示された実施形態の全ての特徴よりも少ないものに存在する。すなわち、詳細な説明に関連する特許請求の範囲は、ここにこの詳細説明に明確に組み込まれるものであり、各請求項は、本発明の別々の実施形態としてそれ自体独立したものである。
【００７４】
いくつかの例示的な実施形態を説明して添付図面に示したが、このような実施形態が限定的ではなく単に例示的であること、及び様々な他の修正が本開示を学んだ時に当業者に想起されるであろうから、本発明の実施形態は、示して説明した特定の構成及び装置に限定されないことは理解されるものとする。
【図面の簡単な説明】
【００７５】
【図１】従来技術の無線ネットワークを示すブロック図である。
【図２】従来技術の配線ネットワーク接続ポイントを示すブロック図である。
【図３】従来技術の配線ネットワーク接続ポイントを示すブロック図である。
【図４】統合有線及び無線ＬＡＮアクセスウォールプレート構造の実施形態を示すブロック図である。
【図５】統合有線及び無線ＬＡＮアクセスウォールプレートの有線及び無線ＬＡＮアクセスウォールプレート装置の実施形態を示すブロック図である。
【図６】統合有線及び無線ＬＡＮアクセスウォールプレートの無線ＬＡＮアクセスウォールプレート装置の実施形態を示すブロック図である。
【図７】統合ＬＡＮアクセスウォールプレートシステムの無線ＬＡＮ部分の実施形態を示すブロック図である。
【図８】統合ＬＡＮアクセスウォールプレートシステムの回路基板構成の実施形態を示すブロック図である。
【図９】統合ＬＡＮアクセスウォールプレートシステムのアセンブリ構造の実施形態を示すブロック図である。
【図１０】統合ＬＡＮアクセスウォールプレートシステムを設置する工程の実施形態を示す流れ図である。
【符号の説明】
【００７６】
４００  統合ウォールプレート構造
４０２  ウォールプレートハウジング
４０４  内部空洞又は開口部
【図１】
2006050564.tif 000003
【図２】
2006050564.tif 000004
【図３】
2006050564.tif 000005
【図４】
2006050564.tif 000006
【図５】
2006050564.tif 000007
【図６】
2006050564.tif 000008
【図７】
2006050564.tif 000009
【図８】
2006050564.tif 000010
【図９】
2006050564.tif 000011
【図１０】
2006050564.tif 000012
【外国語明細書】
2006050564.tif 000013
2006050564.tif 000014
2006050564.tif 000015
2006050564.tif 000016
2006050564.tif 000017
2006050564.tif 000018
2006050564.tif 000019
2006050564.tif 000020
2006050564.tif 000021
2006050564.tif 000022
2006050564.tif 000023
2006050564.tif 000024
2006050564.tif 000025
2006050564.tif 000026
2006050564.tif 000027
2006050564.tif 000028
2006050564.tif 000029
2006050564.tif 000030
2006050564.tif 000031
2006050564.tif 000032
2006050564.tif 000033
2006050564.tif 000034
2006050564.tif 000035
2006050564.tif 000036
2006050564.tif 000037
2006050564.tif 000038
2006050564.tif 000039
2006050564.tif 000040
2006050564.tif 000041
2006050564.tif 000042
2006050564.tif 000043
2006050564.tif 000044
2006050564.tif 000045
2006050564.tif 000046
2006050564.tif 000047
2006050564.tif 000048
2006050564.tif 000049
2006050564.tif 000050
2006050564.tif 000051
2006050564.tif 000052
2006050564.tif 000053
2006050564.tif 000054
2006050564.tif 000055
2006050564.tif 000056
2006050564.tif 000057
2006050564.tif 000058
2006050564.tif 000059
2006050564.tif 000060
2006050564.tif 000061
2006050564.tif 000062
2006050564.tif 000063
2006050564.tif 000064
2006050564.tif 000065
2006050564.tif 000066
2006050564.tif 000067